(57)【特許請求の範囲】
【請求項１】
可撓性シート仕切り（１）は、可撓性のシート（１０）からなり、支持係止部（１３）を備え、 
連通口（１０３）である穴または隙間を備え、前記連通口（１０３）は、呼気消毒装置（５０）に備えられた排気口（５２）から排気された浄化気（１０４）を、前記可撓性シート仕切り（１）の一方の側から、もう一方の側に送気可能である連通口（１０３）であって、前記連通口（１０３）に設けられた可撓性のシート（１０）であるガイドシート（１０５）によって、前記浄化気（１０４）をガイドすることによって、前記連通口（１０３）から前記浄化気（１０４）を、前記可撓性シート仕切り（１）の反対側に送気可能であることを特徴とする可撓性シート仕切り（１）。
【請求項２】
前記可撓性シート仕切り（１）は、呼気消毒装置（５０）を合わせて用いられ、前記ガイドシート（１０５）が、前記連通口（１０３）を覆って設けられることが可能であることを特徴とする請求項１に記載の可撓性シート仕切り（１）。
【請求項３】
前記ガイドシート（１０５）が、前記連通口（１０３）を覆って設けられることが可能であることを特徴とする請求項１から請求項２のいずれかに記載の可撓性シート仕切り（１）。
【請求項４】
前記ガイドシート（１０５）が、前記呼気消毒装置（５０）と係止可能な装置係止構造（１０６） を備えたことを特徴とする請求項１から請求項３のいずれかに記載の可撓性シート仕切り（１）。
【請求項５】
前記装置係止構造（１０６） が、前記排気口（５２）の周囲に巻くようにして設けることが可能であることを特徴とする請求項４に記載の可撓性シート仕切り（１）。
【請求項６】
前記ガイドシート（１０５）の最低部をガイド下端（１０７）とし、該ガイド下端（１０７）が、前記ガイドシート（１０５）を巻くかまたは折り曲げて高さを変更可能であることを特徴とする請求項１から請求項５のいずれかに記載の可撓性シート仕切り（１）。
【請求項７】
ガイド係止部（１１２）は、２枚の可撓性のシート（１０）を係止することによってガイドシート（１０５）を形成する為の係止部であるか、または、ガイドシート（１０５）と可撓性シート仕切り（１）の本体を係止する係止部であり、ガイド着脱係止部（１１２）は、着脱可能なガイド係止部であり、
前記ガイド係止部（１１２）またはガイド着脱係止部（１１２）によって形成された、前記ガイドシート（１０５）と、可撓性シート仕切り（１）本体の可撓性シート（１０）の間に形成される略筒状部分より下部に、ガイドシート（１０５）が懸垂していることを特徴とする請求項１から請求項６のいずれかに記載の可撓性シート仕切り（１）。
【請求項８】
前記可撓性シート仕切り（１）が、前記可撓性のシート（１０）が複数、重畳的に設けられて構成され、重畳的に設けられた二つの可撓性のシート（１０）の隙間が、前記連通口（１０３）であり、
前記重畳的に設けられた上側の可撓性のシート（１０）が、下側の可撓性のシート（１０）と重なる部分が、ガイドシート（１０５）を構成することを特徴とした請求項１から請求項７のいずれかに記載の可撓性シート仕切り（１）。
【請求項９】
前記ガイドシート（１０５）が、巻くかまたは折り曲げての高さの変更状態を保持可能であることを特徴とする請求項１から請求項８のいずれかに記載の可撓性シート仕切り（１）。
【請求項１０】
前記ガイドシート（１０５）が、前記可撓性シート仕切り（１）の両面側に設けられたことを特徴とする、請求項１から請求項９のいずれかに記載の可撓性シート仕切り（１）。
【請求項１１】
前記ガイドシート（１０５）が、巻くかあるいは曲折して係る連通口（１０３）を開口可能とするかまたは、前記ガイドシート（１０５）の一部または略全部の面を前記可撓性シート仕切り（１）の本体の可撓性のシート（１０）から離した状態を保持可能とする開口保持材（１０８）を備えたことを特徴とする請求項１から請求項１０のいずれかに記載の可撓性シート仕切り（１）。
【請求項１２】
前記ガイドシート（１０５）が、前記可撓性シート仕切り（１）の両面側に設けられ、前記可撓性シート仕切り（１）の両面に設けられた前記ガイドシート（１０５）が、巻くかあるいは曲折して係る連通口（１０３）を開口可能とするかまたは、前記ガイドシート（１０５）の面を前記可撓性シート仕切り（１）の本体の可撓性のシート（１０）から離した状態を保持可能とする開口保持材（１０８）を備えたことを特徴とする請求項１から請求項１１のいずれかに記載の可撓性シート仕切り（１）。
【請求項１３】
前記ガイドシート（１０５）が、前記可撓性シート仕切り（１）の本体を構成する可撓性のシート（１０）との間で、略筒状体を形成することを特徴とする請求項１から請求項１２のいずれかに記載の可撓性シート仕切り（１）。
【請求項１４】
前記ガイドシート（１０５）が、前記排気口（５２）の略鉛直方向に上側をフード上に覆うことが可能であることを特徴とする請求項１から請求項１３のいずれかに記載の可撓性シート仕切り（１）。
【請求項１５】
前記ガイドシート（１０５）が、前記排気口（５２）の略鉛直方向に上側を覆う状態を保持可能とする開口保持材（１０８）を備えることによって、前記ガイドシート（１０５）が、前記排気口（５２）を覆う様にして設けることが保持可能であることを特徴とする請求項１から請求項１４のいずれかに記載の可撓性シート仕切り（１）。
【請求項１６】
前記ガイドシート（１０５）が略筒状であり、前記連通口（１０３）に設けられ、前記排気口（５２）に被せて設けることが可能であることを特徴とする請求項１から請求項１５のいずれかに記載の可撓性シート仕切り（１）。
【請求項１７】
前記ガイドシート（１０５）の下端部が伸縮して調整可能であることを特徴とする請求項１から請求項１６のいずれかに記載の可撓性シート仕切り（１）。
【請求項１８】
前記連通口（１０３）が、該連通口（１０３）の開口サイズを調整可能であるか、または、開閉可能であることを特徴とする請求項１から請求項１7のいずれかに記載の可撓性シート仕切り（１）。
【請求項１９】
ガイド係止部（１１２）は、２枚の可撓性のシート（１０）を係止することによってガイドシート（１０５）を形成する為の係止部であるか、または、ガイドシート（１０５）と可撓性シート仕切り（１）の本体を係止する係止部であり、ガイド着脱係止部（１１２）は着脱可能なガイド係止部であり、
前記ガイドシートが、ガイド着脱係止部（１１２）を備えたことを特徴とする請求項１から請求項１８のいずれかに記載の可撓性シート仕切り（１）。
【請求項２０】
前記ガイドシート（１０５）が、２枚またはそれ以上の可撓性のシート（１０）を着脱可能なガイド着脱係止部（１１２）によって係止されることによって形成されることを特徴とする請求項１から請求項１９のいずれかに記載の可撓性シート仕切り（１）。
【請求項２１】
前記連通口（１０３）が網状であることを特徴とする請求項１から請求項2０のいずれかに記載の可撓性シート仕切り（１）。
【請求項２２】
ガイド着脱係止部（１１２）がファスナーであることを特徴とする請求項７または請求項１９のいずれかに記載の可撓性シート仕切り（１）。
【請求項２３】
前記連通口（１０３）が、ファスナーによって該連通口（１０３）の開口サイズを調整可能であるか、または、開閉可能であることを特徴とする請求項１から請求項２２のいずれかに記載の可撓性シート仕切り（１）。
【請求項２４】
前記支持係止部（１３）が着脱可能であることを特徴とした請求項１から請求項２３のいずれかに記載の可撓性シート仕切り（１）。
【発明の詳細な説明】
【技術分野】
【０００１】
本発明は、自由度の高い可撓性シート仕切りの構造に関する。
【背景技術】
【０００２】
従来からカーテン等の可撓性シート状の仕切りは、多種多様に提案されている。係る仕切りは、略一枚状の物や、ブラインド状の形態のカーテンも存在する。しかしながら、カーテンとアイテムの設置に関する自由度の高いシート状の仕切りは皆無といえる。
【０００３】
また、可撓性シート状の仕切りの遮視性、採光性、通気性、装飾性、収納具としての収納性、遮蔽性、アイテムとの間での遮蔽性を高めた技術が求められている。
【０００４】
また、家庭内においても、インフルエンザ等のウィルス感染した患者による、家庭内感染が、濃厚接触も多く、また、密閉された同一空間内に長く同居することによる感染を引き起こし易いという問題があり、また、より自由に広がる、特に屋内空間において、人から、咳やくしゃみ等の呼気から空気中に排出されたウィルスが、空気中に拡散、あるいは長く滞留することにより、他の人に取り込まれるリスクをより下げるべく、また、様々な生活環境に合わせて構築可能な自由度が高く、あるいは簡易で、より迅速に、効率的に係る空気中に放出されたウィルスを集め、浄化、無毒化する技術が求められているといえる。
【０００５】
そこで、従来からも種々の技術が提案されている。例えば、特許文献１には、発明の名称を「異方採光カーテン、及び、カーテンの保持具」とする技術が開示され、公知技術となっている（特許文献１参照）。具体的には「空間を隔てるカーテン１であって、カーテン１により隔てられた空間の一方側から入射した光が、カーテン１を透過して、隔てられた空間の他方側へ進入することで、他方側の空間内照度Ｓｂの最大値 を、他方側の空間内照度の最小値 の１．７倍以上とする。又、所定の可視光透過率を持つ遮光部２と、遮光部２より可視光透過率が大きい透光部３を有し、透光部３の可視光透過率は、遮光部２の可視光透過率の３倍以上であったり、長手方向がカーテン１の丈方向に略沿った遮光帯部と透光帯部は、カーテン１の幅方向に沿って交互に繰り返し配設されていても良い。」というものである。しかしながら、特許文献１に記載の発明は、自由度が高い構成であるとは言えず、前記問題の解決には至っていない。
【０００６】
また、特許文献２には、発明の名称を「クリーンブース」とする技術が開示され、公知技術となっている（特許文献２参照）。具体的には「周囲をアクセスカーテン１０などで取り囲み、その内部に清浄空気を供給する送風機やフィルターを含んだ本体ユニット２と共に、内部の空気を清浄化して排気する排気ユニット１１を備え、排気ユニットの排気能力を本体ユニットの送風能力と等しく、あるいは、それよりも大きく設定し、もって、クリーンブース内を外気に対して陰圧に保持する。これにより、特別な感染症処置室を用いなくても、クリーンブースを利用して感染症患者の治療を行うことが出来る。」というものである。
しかしながら、特許文献２に記載の発明は、一般的な室内等において、簡易で、自由度が高い構成であるとは言えず、前記問題の解決には至っていない。
【０００７】
また、特許文献３には、発明の名称を「感染防止ブース」とする技術が開示され、公知技術となっている（特許文献１参照）。具体的には「ベッドを覆うクリーンブースを室内に形成するための包囲体と、ブース内の空気を浄化して該ブース外に排出するための送風器と、ベッド上でのブース内の空気流のむらを解消すべく該ベッドに沿った空気循環流を生成するための補助ファンと、ブース内の湿度を調整するための加湿器とを含む感染防止ブース。包囲体により形成されるブース容量は６ｍ３〜１５ｍ３であり、包囲体にはほぼ１００ｃｍ２の空気取り入れ口が形成され、送風器は０．１ｍ３／分〜１．２８ｍ３／分の送風能力を有し、補助ファンによる循環空気風量は、１ｍ３／分〜２．５ｍ３／分であり、加湿器による加湿水分量は０．４kg／hr以下であり、ブース内の相対湿度が４５％ＲＨ〜６５％ＲＨに保持される。」というものである。しかしながら、特許文献１に記載の発明は、一般的な室内等において、自由度が高い構成であるとは言えず、前記問題の解決には至っていない。
【先行技術文献】
【特許文献】
【０００８】
【特許文献１】特開２０１８-１１０７４９号
【特許文献２】特開２００１-１８２９７７号
【特許文献３】特開２０１２−１２４号
【発明の概要】
【発明が解決しようとする課題】
【０００９】
様々な、主に屋内の環境改善において、自由度の高い可撓性シート状の仕切りを提供する。
【課題を解決するための手段】
【００１０】
本発明に係る可撓性シート仕切り（１）は、
可撓性のシート（１０）からなり、支持係止部（１３）を備え、 
連通口（１０３）である穴または隙間を備え、前記連通口（１０３）は、送気装置または呼気消毒装置（５０）に備えられた排気口（５２）から排気された空気または浄化気（１０４）を、前記可撓性シート仕切り（１）の一方の側から、もう一方の側に送気可能である連通口（１０３）であって、前記連通口（１０３）に設けられた可撓性のシート（１０）であるガイドシート（１０５）によって、前記浄化気（１０４）をガイドすることによって、前記連通口（１０３）から前記浄化気（１０４）を、前記可撓性シート仕切り（１）の反対側に送気可能である構成を採用する。
【００１１】
また、本発明は、前記可撓性シート仕切り（１）は、送気装置または呼気消毒装置（５０）を合わせて用いられ、前記ガイドシート（１０５）が、前記連通口（１０３）を覆って設けられることが可能である構成を採用することもできる。
【００１２】
また、本発明は、前記ガイドシート（１０５）が、前記連通口（１０３）を覆って設けられることが可能である構成を採用することもできる。
【００１３】
また、本発明は、前記ガイドシート（１０５）が、前記送気装置または呼気消毒装置（５０）と係止可能な装置係止構造（１０６） を備えた構成を採用することもできる。
【００１４】
また、本発明は、前記装置係止構造（１０６） が、前記排気口（５２）の周囲に巻くようにして設けることが可能である構成を採用することもできる。
【００１５】
また、本発明は、前記ガイドシート（１０５）の最低部をガイド下端（１０７）とし、該ガイド下端（１０７）が、前記ガイドシート（１０５）を巻くかまたは折り曲げて高さを変更可能である構成を採用することもできる。
【００１６】
また、本発明は、前記可撓性シート仕切り（１）が、前記可撓性のシート（１０）が複数、重畳的に設けられて構成され、重畳的に設けられた二つの可撓性のシート（１０）の隙間が、前記連通口（１０３）であり、
前記重畳的に設けられた上側の可撓性のシート（１０）が、下側の可撓性のシート（１０）と重なる部分が、ガイドシート（１０５）を構成する構成を採用することもできる。
【００１７】
また、本発明は、前記ガイドシート（１０５）が、巻くかまたは折り曲げての高さの変更状態を保持可能である構成を採用することもできる。
【００１８】
また、本発明は、前記ガイドシート（１０５）が、前記可撓性シート仕切り（１）の両面側に設けられた構成を採用することもできる。
【００１９】
また、本発明は、前記ガイドシート（１０５）が、巻くかあるいは曲折して係る連通口（１０３）を開口可能とするかまたは、前記ガイドシート（１０５）の一部または略全部の面を前記可撓性シート仕切り（１）の本体の可撓性のシート（１０）から離した状態を保持可能とする開口保持材（１０８）を備えた構成を採用することもできる。
【００２０】
また、本発明は、前記ガイドシート（１０５）が、前記可撓性シート仕切り（１）の両面側に設けられ、前記可撓性シート仕切り（１）の両面に設けられた前記ガイドシート（１０５）が、巻くかあるいは曲折して係る連通口（１０３）を開口可能とするかまたは、前記ガイドシート（１０５）の面を前記可撓性シート仕切り（１）の本体の可撓性のシート（１０）から離した状態を保持可能とする開口保持材（１０８）を備えた構成を採用することもできる。
【００２１】
また、本発明は、前記ガイドシート（１０５）が、前記可撓性シート仕切り（１）の本体を構成する可撓性のシート（１０）との間で、略筒状体を形成する構成を採用することもできる。
【００２２】
また、本発明は、前記ガイドシート（１０５）が、前記排気口（５２）の略鉛直方向に上側をフード上に覆うことが可能である構成を採用することもできる。
【００２３】
また、本発明は、前記ガイドシート（１０５）が、前記排気口（５２）の略鉛直方向に上側を覆う状態を保持可能とする開口保持材（１０８）を備えることによって、前記ガイドシート（１０５）が、前記排気口（５２）を覆う様にして設けることが保持可能である構成を採用することもできる。
【００２４】
また、本発明は、前記ガイドシート（１０５）が略筒状であり、前記連通口（１０３）に設けられ、前記排気口（５２）に被せて設けることが可能である構成を採用することもできる。
【００２５】
また、本発明は、前記略筒状に設けられたガイドシート（１０５）の前記連通口（１０３）と反対側の開口部が、開口部のサイズを変更可能な調整可能下端（１１０）である構成を採用することもできる。
【００２６】
また、本発明は、前記連通口（１０３）が、該連通口（１０３）の開口サイズを調整可能であるか、または、開閉可能である連通調整口（１０９）である構成を採用することもできる。
【００２７】
また、本発明は、前記ガイドシートが、ガイド着脱係止部（１１２）を備えた構成を採用することもできる。
【００２８】
また、本発明は、 前記ガイドシート（１０５）が、２枚またはそれ以上の可撓性のシート（１０）を着脱可能なガイド着脱係止部（１１２）によって係止されることによって形成される構成を採用することもできる。
【００２９】
また、本発明は、ガイド係止部またはガイド着脱係止部によって形成された、前記ガイドシートと、可撓性シート仕切り（１）本体の可撓性シート１０の間に形成される略筒状部分より下部に、ガイドシート（１０５）が懸垂している構成を採用することもできる。
【００３０】
また、本発明は、 前記連通口（１０３）が網状である構成を採用することもできる。
【００３１】
また、本発明は、 前記連通口（１０３）を形成する可撓性のシート（１０）の端部に、スリットを備えた構成を採用することもできる。
【００３２】
また、本発明は、前記連通口（１０３）を形成する可撓性のシート（１０）の端部に、スリットを備えた構成を採用することもできる。
【００３３】
また、本発明は、前記調整可能下端（１１０）または前記連通調整口（１０９）が、ファスナーによって調整可能である構成を採用することもできる。
【００３４】
また、本発明は、前記支持係止部（１３）が着脱可能である構成を採用することもできる。
【発明の効果】
【００３５】
本発明に係る感染防止ユニットによれば、入院の多人数部屋や老人ホーム等、様々なベッドや布団を囲うカーテンに設けることによって、感染症の院内クラスターの抑止効果を期待できる。
【００３６】
本発明に係る感染防止ユニットによれば、様々なウィルスや感染症の不特定多数の、様々な患者が出入りし、診察や支払い等を待つ、待合所やスペースにおいて、係るスペースに排出されたウィルスや菌による院内感染が発生するのを抑制することができるという優れた効果を発揮する。
【００３７】
本発明に係る感染防止ユニットによれば、不特定多数の、様々な人が出入りする公共交通機関である、空港等の待合所やスペースにおいて、係るスペースに排出されたウィルスや菌の残留時間を極力減らし、感染が発生するのを抑制することができるという優れた効果を発揮する。
【００３８】
本発明に係る感染防止ユニットによれば、家庭内において、インフルエンザ等のウィルス感染した患者による、家庭内感染が、濃厚接触も多く、また、密閉された同一空間内に長く同居することによる感染を引き起こし易いという家族感染を抑制することができるという優れた効果を発揮する。
【００３９】
本発明に係る感染防止ユニットによれば、自由に広がる、特に室内空間において、人から、咳やくしゃみ等の呼気から空気中に排出されたウィルスが、空気中に拡散、あるいは長く滞留することにより、他の人に取り込まれるリスクをより下げるべく、また、様々な生活環境に合わせて構築可能な自由度が高く、あるいは簡易で、より迅速に、効率的に係る空気中に放出されたウィルスを集め、浄化、無毒化可能であるという優れた効果を発揮する。
【００４０】
本発明に係る感染防止ユニットによれば、一定の空間から発生する、臭いやガスを、空気中に拡散させず、簡易で、より迅速に、効率的に集め、浄化、無毒化可能であるという優れた効果を発揮する。
【図面の簡単な説明】
【００４１】
【図１】本発明に係る可撓性シート仕切りが上から吊設されるカーテンの基本説明図である。
【図２】本発明に係るガイドシートが、ガイド着脱係止部及び装置係止構造を備えた構成説明図である。
【図３】本発明に係る可撓性シート仕切りのガイド係止部の位置構成の例の構成説明図である。
【図４】本発明に係るガイドシートのガイド下端の位置を調整可能な構成説明図である。
【図５】本発明に係るガイドシートのフード状に設けられた構成説明図である。
【図６】本発明に係るガイドシートが重畳的に設けられた構成説明図である。
【図７】本発明に係るガイドシートが端部スリット１１３を設けた構成の説明図である。
【図８】本発明に係るガイドシートが左右両方に設けられた支持材の構成の説明図である。
【図９】本発明に係る連通口が、ファスナーによって開閉可能な構成説明図である。
【図１０】本発明に係るガイドシートが、略筒状の可撓性のシートである構成の例の構成説明図である。
【発明を実施するための形態】
【００４２】
可撓性シート仕切り１は、可撓性のシート１０からなり、連通口１０３である穴または隙間を備え、係る連通口１０３は、送気装置または呼気消毒装置５０に備えられた排気口５２から排気された空気である浄化気１０４を、係る可撓性シート仕切り１の一方の側から、もう一方の側に送気可能である連通口１０３であって、係る連通口１０３に設けられた可撓性のシート１０であるガイドシート１０５によって、前記浄化気１０４をガイドすることによって、前記連通口１０３から前記浄化気１０４を、前記可撓性シート仕切り１の反対側に送気可能であることを最大限活用する構成である。
【００４３】
以下、図面に基づいて本発明に係る可撓性シート仕切り１について説明する。
但し、図面に示した形状や配置構成等についてはあくまでも例示であり、本願発明の特徴的な効果が発揮される範囲において変更することが可能であり、また、それぞれの図の例示の構成は、係る構成の説明の便宜上その図面で説明したに過ぎないものであり、図面のそれぞれお互いの図面の構成の例において、互いに応用可能であるものとする。
尚、ここでいう手前または手前側とは、図面上で可撓性シート仕切り１の面が見えている側を指し、向こう側とは図面上で可撓性シート仕切り１の面が見えていない側、つまり、手前側の反対側を指すものとする。
なお、各図面の説明においての上下左右あるいは側方は、係る図面の方向の上下左右あるいは側方の方向をさすものである。
【００４４】
図１は、可撓性シート仕切り１が、カーテンである場合の基本構成の説明図を示し、係る可撓性シート仕切り１としてのカーテンは、可撓性のシート１０の上部の辺に、１３個の支持係止部１３を備わっていることを示し、係る支持係止部１３が、支持材１０２としてのカーテンレールに設けられた構成の例である説明図である。
【００４５】
図１（a）の構成の例は、図１（ｂ）の構成の例の可撓性シート仕切り１の手前に設置された呼気消毒装置５０の構成の例の説明図である。
呼気消毒装置５０はファンヒーターまたは空気清浄機であり、吸気口５１５１から呼気等のウィルス等を含んだ浄化したい空気を吸気し、排気口５２から浄化あるいは殺菌された空気を排気し、ファンヒーターは、空気の加熱部５３を備えて、係る加熱部５３にて、空気を加熱することによって、殺菌消毒またはある種のガス状の分子を分解させることによって、無毒化、無臭化するものであり、空気清浄機は、空気中に浮遊する塵や花粉を除去し、特に本発明を構成する呼気消毒装置５０である空気清浄機は、ウィルスや細菌を不活化する効果を備えた空気清浄機を指しており、特には、病院や、家庭において、インフルエンザやコロナウィルス等の空気感染あるいは飛沫感染あるいは、エアロゾル感染の原因となる呼気または空気を、より安全な空気に無毒化する構成の装置である。尚、ファンヒーターは、ファンによって強制的に空気を加熱部５３に送って係る空気を加熱する構成の装置であり、ガスや石油によって燃焼することによって空気を加熱する構成としても良いし、または、電気ヒーターによって空気を加熱する構成としても良いが、ウィルスや臭いの元等になる化学物質の不活化、分解といった点においては、実際に火を燃焼させて加熱するガスや石油ファンヒーターの方が、より多くの効果を期待でき、有用である。
尚、図面中の加熱部５３は、空気清浄機においては、浄化部５３である。
本構成の例における呼気消毒装置５０の排気口５２は、図１（ａ）の構成の例に示されるように、係る呼気消毒装置５０の略上方に向かって排気される構成の呼気消毒装置５０の例である。
【００４６】
図１（ｂ）の構成の例は、係る可撓性シート仕切り１と、係る可撓性シート仕切り１の手前に設置された呼気消毒装置５０の構成の例の説明図である。
係る可撓性シート仕切り１には、略中央に、横長の略長方形の連通口１０３を備え、係る連通口１０３を覆うようにして、可撓性のシート１０から成るガイドシート１０５が、係る連通口１０３の上側のガイド係止部１１１にて係止されて、係る可撓性シート仕切り１の本体の可撓性のシート１０に係止された構成の例である。
係るガイドシート１０５は、係る呼気消毒装置５０の上部に備えられた排気口５２を覆う様にして、係る呼気消毒装置５０から上部方向排気される浄化された空気である浄化気１０４を、係る連通口１０３に誘導して、係る連通口１０３から係る可撓性シート仕切り１の向こう側に、係る浄化気１０４を送気する構成の例である。
係る構成とすることによって、係る可撓性シート仕切り１の手前側の汚れた空気、つまり、ウィルスや、悪臭、花粉等の異物を含んだ空気を、係る可撓性仕切りの向こう側に送気することが可能な構成であり、有用である。
【００４７】
尚、係る呼気消毒装置５０を備えていない際には、係るガイドシート１０５が、係る連通口１０３を塞ぐ様にして、係る連通口１０３の前に吊設される構成であるので、係る可撓性シート仕切り１の向こう側と手前側の空気の流れ１７を係る連通口１０３から通らない様に遮断あるいは係る可撓性シート仕切り１の向こう側が見えない様に視界を遮断することが可能な構成であり、また、一枚のあるいは略一平面から成る可撓性のシート１０によって、係るガイドシート１０５が形成されている構成であるので、係る可撓性シート仕切り１の面に余計な出っ張り等を作らず、違和感なく係る連通口１０３を塞ぐことが可能であるので、外観的な意匠面からも、有用な構成の例である。
【００４８】
また、係るガイドシート１０５の最下端に、重り等として、棒等を設けても良いし、係るガイドシート１０５と係る可撓性シート仕切り１の本体を形成する可撓性のシート１０を、面ファスナーやホック等で、着脱可能にすることによって、よりしっかりと係る連通口１０３を塞ぐことが可能な構成とすることが可能で、有用である。
係る構成とすることによって、係る吸気口５１の位置が、係る呼気消毒装置５０の上部以外のどの位置に設けられていても、あるいは、係る排気口５２が係る呼気消毒装置５０の略上部の前面に備えられている構成の呼気消毒装置５０であっても、係る浄化気１０４を係る可撓性シート仕切り１の反対側に送気可能な構成であり、有用である。
【００４９】
また、図１（ｂ）の構成においては、係るカーテンを開けても、係るガイドシート１０５が係る呼気消毒装置５０に引っ掛からずに開くことが可能な構成であるので、有用性のある構成である。
【００５０】
図１（ｃ）の構成の例は、係るガイドシート１０５が、係る可撓性シート仕切り１の本体を構成する可撓性のシート１０の両面側に設けられて、係る連通穴を両側から塞ぐ様に設けられた構成の例である。
係る構成とすることによって、係る呼気消毒装置５０を係る可撓性シート仕切り１の両側どちら側に設置することも可能である構成であり、例えば、係る可撓性シート仕切り１の向こう側にあまりウィルス等に対して抵抗力の強くない老人（４９）等が寝ている場合は、係る呼気消毒装置５０を、係る可撓性シート仕切り１の手前側に設置すれば良いし、また、係る老人（４９）等が、ウィルスに感染した場合または、その疑いがある場合は、係る呼気消毒装置５０を係る可撓性シート仕切り１の向こう側に設ける構成とすることも可能となり、係る可撓性シート仕切り１の自由度が高くなり、有用である。
【００５１】
また、係る可撓性シート仕切り１の両側にガイドシート１０５を備えた構成において、例えば、係る可撓性シート仕切り１の手前側に係る呼気消毒装置５０を設置した場合、可撓性シート仕切り１の手前側から送気された浄化気１０４が、係る連通口１０３を通り易くする為、係るガイドシート１０５が係る連通口１０３を塞がないよう、図面には示されていないが、係るガイドシート１０５の開口状態を保持可能とする様に、係るガイドシート１０５を巻くかあるいは曲折するか、または、係るガイドシート１０５に棒や針金等を設けて、係るガイドシート１０５を可撓性シート仕切り１の本体から離した状態を保持可能として、係る連通口１０３の開口状態を保持可能とする、開口保持材１０８を備えた構成としても、係る浄化気１０４がスムースに送気され、有用である。
係る開口保持材１０８は、例えば、面ファスナーや、ホック、マグネット、フック、紐、針金、棒でも良く、その他、本発明の技術的思想の範囲内、即ち、同一の作用効果を発揮できる材料、構造、形状あるいは寸法の範囲内で変更することができるものである。
【００５２】
尚、連通口１０３は、可撓性シート仕切り１に備えられた穴またはスリットまたは隙間であり、係る可撓性シート仕切り１の片側から、反対側に通気可能に設けられた構成となるものである。
ガイド係止部１１１は、２枚の可撓性のシート１０を係止することによってガイドシート１０５を形成する為の係止部であるか、または、係るガイドシート１０５と可撓性シート仕切り１の本体を係止する係止部であり、九十九折線で示した部分であり、係る係止部は、縫製でも良いし、融着でも、接着でも、粘着でも、リベットでも、ステープラーでも、ホックでも、ファスナーでも、面ファスナーでも、マグネットでも良く、その他、本発明の技術的思想の範囲内、即ち、同一の作用効果を発揮できる形状、材質あるいは寸法の範囲内で変更することができるものである。
尚、係る着脱可能なガイド係止部１１１は、ガイド着脱係止部１１２とする。
【００５３】
また、係るガイド係止部１１１を、ガイド着脱係止部１１２として、係るガイドシート１０５を着脱可能に取り外せる構成としても良く、係る構成とすることによって、係るガイドシート１０５のサイズやデザインや形状を自由に設定することが可能となり、設置する呼気消毒装置５０に合わせて係るガイドシート１０５を選択することが可能な構成となり、有用である。
支持係止部１３は、支持材１０２と係止される係止部であり、係る可撓性シート仕切り１の位置を保持する為の支持材１０２との係止部である。
支持係止部１３は、支持材１０２と係止される係止部であり、係る可撓性シート仕切り１の位置を保持する為の支持材１０２との係止部であり、可撓性シート仕切り１に備えられた穴でも良いし、フックでも良いし、リングでも良いし、紐でも良いし、フックやリング等をクリップ等で係る可撓性シート仕切り１に着脱可能な構成としても良く、その他、本発明の技術的思想の範囲内、即ち、同一の作用効果を発揮できる形状、構造あるいは寸法の範囲内で変更することができるものである。
支持材１０２は、係る可撓性シート仕切り１の位置を保持する為の部材あるいは部分であり、本図の構成の例の様な、可撓性シート仕切り１をスライドさせて移動可能な構成としても良いし、スライドして移動できない構成で、例えば天井等に固定された固定具に設ける構成としても良く、その他、本発明の技術的思想の範囲内、即ち、同一の作用効果を発揮できる形状、構造あるいは寸法の範囲内で変更することができるものである。
【００５４】
破線の矢印で示しているのが、係る呼気消毒装置５０に入る空気と出る空気の流れ１７を示しており、本図の例においては、係る可撓性シート仕切り１の手前側に寝ているウィルスを保持した患者から出る汚れた空気が、呼気消毒装置５０で浄化されて浄化気１０４として排気口５２から上方に向かって排出され、ガイドシート１０５と可撓性シート仕切り１の本体を構成する可撓性のシート１０の間を通って、係る連通口１０３から係る可撓性シート仕切り１の向こう側に送気される構成の例である。
【００５５】
図２の構成の例は、係るガイドシート１０５が、ガイド着脱係止部１１２及び装置係止構造１０６を備えた構成の例である。
図２（ａ）の構成の例は、係る構成の略正面からの斜視図であり、図２（ｂ）は、係る略同等の構成の例の側方からの断面図である。
【００５６】
係るガイドシート１０５は、図１（ｂ）の構成の例と同様に可撓性シート仕切り１にガイド係止部１１１とガイド着脱係止部１１２としてのホックにて係止されて、連通口１０３を覆っている構成の例であり、係るガイドシート１０５は、３か所のマグネットシートである装置係止構造１０６によって、係る呼気消毒装置５０に係止されている構成の例である。
係る構成とすることによって、係るガイドシート１０５が、係る呼気消毒装置５０からの排気の風力によって、なびいてはためいたり、正規の位置から外れてしまったりして、安定的に係る排気口５２からの浄化気１０４を連通口１０３に送気し難くなるのを抑制し、また、係るガイドシート１０５が、より係る呼気消毒装置５０に密着していることによって、係る排気口５２からの浄化気１０４が流れる力で、周囲の汚れた空気も一緒に巻き込んで、係る連通口１０３の方に送気してしまうのを抑制することが可能であり、有用である。
【００５７】
また、係るガイドシート１０５の側方部が、ガイド係止部１１１の一種でもある、ガイドシート１０５と可撓性シート仕切り１の本体の可撓性のシート１０との係止部である着脱可能なガイド着脱係止部１１２によって、係る可撓性シート仕切り１を構成する本体の可撓性のシート１０に着脱可能に係止されていることによって、係るガイドシート１０５と係る可撓性シート仕切り１を構成する本体の可撓性のシート１０の間で、略筒状の形状を形成し、係るガイドシート１０５と係る可撓性シート仕切り１を構成する本体の可撓性のシート１０との間から係る浄化気１０４が漏れてしまうのを抑制することが可能となり、より効率的に係る浄化気１０４を連通口１０３に送気することが可能となり、また、係るガイド係止部１１１を着脱可能なガイド着脱係止部１１２とすることによって、係る呼気消毒装置５０を設置する際に、ガイド着脱係止部１１２を外して、設置可能となるので、係る呼気消毒装置５０を設置し易くなり、有用である。
尚、本図においては、係る装置係止構造１０６とガイド着脱係止部１１２が、１つのガイドシート１０５に設けられた構成として示されているが、係るどちらか一方だけを設けた構成としても良い。
また、係るガイド着脱係止部１１２は、係るガイドシート１０５の左右１か所づつに設けられている構成の例であるが、係るガイド着脱係止部１１２の数は、２つでも、３つでもあるいはそれ以上でも良く、限定しない。
【００５８】
装置係止構造１０６は、図２の構成の例においては、マグネットシートであるが、マグネットでも良いし、面ファスナーでも、吸盤でも、自己吸着シートでも、ホックでも、クリップでも、紐でも、ゴムでもよく、限定せず、その他本発明の技術的思想の範囲内、即ち、同一の作用効果を発揮できる形状、構造あるいは寸法の範囲内で変更することができるものである。
【００５９】
また係る装置係止構造１０６は、係るガイドシート１０５の下端部に紐やゴムを通して、係るガイドシート１０５の下端部を、例えば巾着構造等によって、伸縮可能な構造として、係る呼気消毒装置５０をガイドシート１０５で巻いたり、ガイドシート１０５と可撓性シート仕切り１を構成する本体の可撓性のシート１０とで、挟み込むようにして係止可能な構成としても良く、係る調整可能なガイド下端を、調整可能下端とし、係る調整可能下端は、装置係止構造１０６とガイドシート１０５とを係止可能とする装置係止構造１０６の一種でもある。
【００６０】
図３の構成の例は、図２の構成の例におけるガイド着脱係止部１１２がガイド係止部１１１として、係るガイドシート１０５の側方側にも設けられている構成の例であって、係るガイド係止部１１１が、略コの字型に設けられていることによって、係るガイドシート１０５と可撓性シート仕切り１を構成する本体の可撓性のシート１０との間を、略筒状である構成とすることによって、係る呼気消毒装置５０から排気された浄化気１０４が、より効率的に連通口１０３に送気される構成であり有用である。
また、図３の構成の例における連通口１０３は、網状の開口部であり、係る開口部が網状であることによって、係る連通口１０３の開口部の強度を補完すると共に、係る開口部が垂れ下がることを抑止可能な構成とすることが可能となり、有用である。
【００６１】
図４の構成の例は、係るガイドシート１０５の最低部をガイド下端１０７とし、係るガイド下端１０７の位置を調整可能とした構成の例である。
係るガイド下端１０７は、係るガイドシート１０５を巻くことによって、位置を調整可能な構成であり、係る構成とすることによって、呼気消毒装置５０の高さに合わせて係るガイド下端１０７の位置を、合わせることが可能な構成であり、様々なサイズの呼気消毒装置５０に対応可能な構成となり、有用である。
【００６２】
また、本図におけるガイドシート１０５の構成の例においては、係るガイドシート１０５の左右にガイド着脱係止部１１２として、ホックが設けられた構成の例であり、係るホックより上の部分が、係るガイドシート１０５と可撓性シート仕切り１を構成する本体の可撓性のシート１０との間を、略筒状とすることが可能な構成の例であり、係るホックより下の部分が、略一枚のガイドシート１０５で形成されて吊設され、巻き取り可能であることによって、係るガイド下端１０７の位置が調整可能な構成の例であり、また、係る略筒状を形成する高さが、係る呼気消毒装置５０の上端より高い為、係るカーテンを開けても、係るガイドシート１０５が係る呼気消毒装置５０に引っ掛からずに開くことが可能な構成であるので、呼気消毒装置５０の転倒等、安全面において、有用性のある構成である。
【００６３】
また、係るガイドシート１０５には、縦に面ファスナーが設けられており、係る面ファスナーによって、係るガイドシート１０５を巻いた状態あるいは折り曲げた状態を保持可能な構成の例である。 
係るガイド下端１０７の位置を調整可能な構成は、巻いても良いし、折り曲げて高さを変更可能な構成としても良いし、また、係るガイド下端１０７の高さを保持可能とする下端位置保持構造１１５の構成の例は、図４において、面ファスナーとしてドット模様部で示された部分であり、面ファスナーでも、マグネットシートでも、ホックでも、フックでも、自己吸着シートでも、ファスナーでも良く、その他、本発明の技術的思想の範囲内、即ち、同一の作用効果を発揮できる形状、構造あるいは寸法の範囲内で変更することができるものである。
また、係るガイド下端１０７の位置は、調整できない構成としても良い。
【００６４】
図５の構成の例は、係るガイドシート１０５が呼気消毒装置５０の略直上に、フード状に設けられた構成の例であり、図５（ａ）の構成の例が、係る構成の、略正面からの斜視図であり、図５（ｂ）が、側方からの断面図による説明図である。
係るガイドシート１０５は、図５（ａ）が示す様に、略コの字のガイド係止部１１１によって係る可撓性シート仕切り１の本体を形成する可撓性のシート１０に設けられた構成の例であり、係るフード状のガイドシート１０５が、係る排気口５２より排気された浄化気１０４を受け止め、係る連通口１０３の方へ送気する構成の例である。
また、係るガイドシート１０５の下側の辺には、係るガイドシート１０５の開口状態を保持可能とする為の開口保持材１０８として、略コの字型の棒を係るガイドシート１０５の下端に備えた構成の例である。
この様に、フード状に係るガイドシート１０５を備えることによって、係るカーテン状の可撓性シート仕切り１を、係る呼気消毒装置５０に引っ掛からずに開閉可能な構成となり、また、様々なサイズの呼気消毒装置５０に対応可能な構成となり有用である。
【００６５】
図６の構成の例は、係る可撓性シート仕切り１が、２枚の可撓性のシート１０が、一部を重ねる様にして重畳的に設けられた構成の例である。
本図の構成の例においては、上側から吊設された可撓性のシート１０が手前側に設けられており、係る可撓性のシート１０の背面側の略半分辺りから、もう一枚の可撓性のシート１０がガイド係止部１１１にて係止されて、下側に重畳的に設けられて、略地上に届く程度の長さまで設けられている構成の例である。
【００６６】
上側の可撓性のシート１０は、係る呼気消毒装置５０の上部に少し重なる様にして覆う様にして設けられており、係る上側から吊設されている可撓性のシート１０の、下側の可撓性のシート１０と重畳的に重なっている部分が、ガイドシート１０５を形成し、また、下側の可撓性のシート１０の上端の辺と、上側の可撓性のシート１０との間の隙間が連通口１０３を形成する構成の例である。
また、係るガイド係止部１１１は、断続的に４か所にて係止された構成であり、３か所の連通口１０３を備えた構成となっている例である。
【００６７】
係る構成とすることによって、係る呼気消毒装置５０を係る重畳的に設けられたガイドシート１０５が、係る可撓性シート仕切り１の端から端まで設けられた構成となるので、係る可撓性シート仕切り１のどの位置にでも、係る呼気消毒装置５０を配置することが可能な構成となり、また、係るカーテン状の可撓性シート仕切り１を、係るガイドシート１０５内に配置した状態で開閉可能で、自由度が高く有用である。
また、係るガイド係止部１１１を、ガイド着脱係止部１１２として、係るガイドシート１０５を着脱可能である構成としても良く、係る構成とすることによって、係るガイドシート１０５のサイズやデザインや形状を自由に設定することが可能となり、設置する呼気消毒装置５０に合わせて係るガイドシート１０５を選択することが可能な構成となり、有用である。
【００６８】
また、図面には示されていないが、係る重畳的に設けられた可撓性のシート１０においても、図１（ｃ）の構成の例の様に、係る可撓性シート仕切り１の両側どちら側からでもガイドシート１０５に呼気消毒装置５０を設置可能とする為に、図６の構成の例に示される上側の可撓性のシート１０と同様に、係る下側の可撓性のシート１０を２枚の係る上側の可撓性のシート１０にて挟み込む構成としても良いし、または、図６の構成の例に示される可撓性シート仕切り１の連通口１０３を、係る上側の可撓性のシート１０とは反対側の面から、係る連通口１０３を覆う様にして、ガイドシート１０５を係る上側の可撓性のシート１０にガイド着脱係止部１１２またはガイド係止部１１１にて係止して設ける構成としても良い。
【００６９】
図７の構成の例は、係る連通口１０３を形成する可撓性のシート１０の端部に、スリットである、端部スリット１１３を設けた構成の例である。
係る連通口１０３が端部スリット１１３を備えた構成とすることによって、係る呼気消毒装置５０を係るガイドシート１０５内に設けた状態において、連通口１０３の開口部が広がり易くなり、通気抵抗が抑制され、有用である。
本図の例においては、係る端部スリット１１３は、各連通口１０３に３つづつ設けられている構成の例となるが、１つでも良いし、２つでも良いし、更に多い数でも良く、限定しない。
また、係るガイドシート１０５を構成する可撓性のシート１０の下側の端部にも、スリットとして端部スリット１１３を備え、係る端部スリット１１３によって呼気消毒装置５０の形状に可撓性のシート１０がなじみ易くなり、有用である。
尚、端部スリット１１３は、可撓性のシート１０の端部に設けられたスリットである。
【００７０】
図８の構成の例は、可撓性シート仕切り１において、可撓性のシート１０が重畳的に設けられて形成する構成の可撓性のシート１０が、左右両方に設けられた支持材１０２によって保持されて設けられた構成の例である。
係る構成においては、係る重畳的に設けられた２枚の可撓性のシート１０が、ガイド係止部１１１を備えずに係る連通口１０３を備えることが可能であるので、呼気消毒装置５０を係るガイドシート１０５内のどこに設置しても、連通口１０３における空気抵抗を少なくすることが可能な構成であり、有用である。
但し、係る可撓性のシート１０は、伸縮性を備えたり、あるいは、端部スリット１１３を備えた構成として、係る呼気消毒装置５０を係るガイドシート１０５内に設置し易い構成としても良い。
【００７１】
図９の構成の例は、係る連通口１０３が、ファスナーによって開閉可能である構成の例であり、係るファスナーエレメント１１６には、６つのファスナースライダー１１７が設けられており、真ん中のファスナースライダー１１７が開いた状態であることによって、連通口１０３を形成している構成の例である。
図９の構成の例においては、図６におけるガイド係止部１１１としてのファスナーを介して２つの可撓性のシート１０が重畳的に設けられた構成の例である。
【００７２】
係る連通口１０３を、係るファスナースライダー１１７の開閉によって設けることによって、係る連通口１０３のサイズを自由に設定することが可能な構成となり、また、二つのファスナースライダー１１７を設けることによって、係る連通口１０３の位置も自由に設定することが可能な構成となり、更に多いファスナースライダー１１７を設けることによって、連通口１０３の位置を、自由に複数個所に設けることが可能な構成となり、より自由な位置に係る呼気消毒装置５０を配置することが可能、あるいは、複数の呼気消毒装置５０を設置可能な構成となり、有用である。
尚、本図の構成の例は、可撓性のシート１０が重畳的に設けられた構成の例であるが、例えば、図１の構成の例の様な可撓性のシート１０に、穴やスリットを備えた構成において、係る穴やスリットを、同様にファスナーによって形成する構成としても良い。
また、係る２枚の可撓性のシート１０を重畳的に設けたガイド係止部１１１が、ファスナーである構成についても、係るファスナーは、２つの可撓性のシート１０を着脱可能とするガイド着脱係止部１１２でもある。
【００７３】
図１０の構成の例においては、係る連通口１０３に、略筒状の可撓性のシート１０で形成されたガイドシート１０５がガイド係止部１１１にて、設けられ、係る略筒状の可撓性のシート１０が、係る呼気消毒装置５０の上部に被さる様にして設けられた構成の例である。
係る構成とすることによって、係る可撓性シート仕切り１から呼気消毒装置５０を離して設置することが可能な構成となり、呼気消毒装置５０の設置の自由度が増し有用である。
【００７４】
尚、一連の本図の実施例において、
可撓性のシート１０の素材は、可とう性を有したシート状で、テント生地やメッシュ生地等の布状部材、他各種繊維素材、ビニール、各種ゴムや各種樹脂シート製、綿、麻等の天然素材、紙製、金属メッシュ等金属、ガラス繊維、また、色も透明、蛍光、光っても良く、その他、必要に応じた強度、機能を有し、本発明と同一の作用効果を発揮できる範囲内でその素材を限定しない。但し、特に、呼気消毒装置５０が、ファンヒーター等の熱を発生させる装置である構成においては、係る可撓性のシート１０は、難燃性の素材である構成とすることが望ましい。  
可撓性のシート１０の色も、透明でも、白でも、黄色でも、蛍光色でも、蛍光塗料でもよく、その他、本発明の技術的思想の範囲内、即ち、同一の作用効果を発揮できる形状、構成、性質、色あるいは寸法の範囲内で変更することができるものである。
また、係る可撓性のシート１０の表面に、光触媒等の浄化あるいは殺菌処理を施した構成とすることによって、汚れやウィルス等を除去し易い構成としても良く、有用である。
【００７５】
また、自己吸着シートは、被着体に対して、素材自体が吸着し、粘着剤や糊を使用せずに貼り付けが可能なシートであり、微細な吸盤による吸着、ジェル状による吸着でも良く、その他本発明の技術的思想の範囲内、即ち、同一の作用効果を発揮できる形状あるいは寸法の範囲内で変更することができるものである。
また、係るガイド係止部１１１で説明している構成は、一部または全部を着脱可能なガイド着脱係止部１１２としても良く、また、係るガイドシート１０５を着脱可能な構成としても良い。
【００７６】
また、 特に可撓性シート仕切り１をスライドさせて移動可能な構成とすることによって、例えば、病院の入院用、赤ちゃんや老人のベッドや寝床の周囲に設けられたカーテンの様に、頻繁に大きく開閉が必要な可撓性シート仕切り１において、有用であり、更に可撓性シート仕切り１が、特に、天井に直接設けられたカーテンレール等の支持材１０２に設けられたカーテン、例えば、病院等の入院部屋のベッド周りの開閉式のカーテン等において、係るカーテン内の空気を浄化または、係るカーテン内に浄化気１０４を送気する構成として、有用である。
【００７７】
尚、係る可撓性のシート１０の下部と地面の間に隙間があると、係る隙間から空気が係る可撓性のシート１０の向こう側へ逃げたり、係る可撓性のシート１０の向こう側の空気を手前側に取り込んでしまい、係る呼気消毒装置５０が、係るウィルス等を含んだ浄化したい空気の処理能力を減らしてしまい、望ましくないので、極力、係る可撓性のシート１０と地面との隙間は無くすことが望ましく、例えば、係る可撓性のシート１０の下に棒や板を挟み込む構成としても良いし、係る帯巻具６０の端ギリギリから係る可撓性のシート１０が引き出される構成としても良いし、やや弛ませ気味に、特に係る可撓性のシート１０の下側を弛ませ気味に設けることによって、係る可撓性のシート１０が地面に設置する構成としても良く、その他、本発明の技術的思想の範囲内、即ち、同一の作用効果を発揮できる構成、形状あるいは寸法の範囲内で変更することができるものである。
尚、係る呼気消毒装置５０のウィルスやガス等の化学物質に対する無毒化の効果については、対象とするウィルスやガス等の化学物質に対する呼気消毒装置５０ の個別の製品性能によるものである。
また、係る呼気消毒装置５０の代わりに、必要に応じて、空気浄化機能や燃焼機能を備えていない、送風機能を備えた送気装置を設置し、新鮮な空気を係る可撓性シート仕切り１内に送気する構成としても良い。
【産業上の利用可能性】
【００７８】
本願発明は、自由度が高く様々な環境を改善可能であり、また、特に、ウィルス等を含んだ空気の効果的な浄化にも効果を発揮するものであり、魅力的な発明品であり、産業上利用可能性は極めて高いと思慮されるものである。
【符号の説明】
【００７９】
１   可撓性シート仕切り
１０ 可撓性のシート
１３ 支持係止部
１７ 空気の流れ
４９人
５０ 呼気消毒装置
５１ 吸気口
５２ 排気口
５３ 加熱部・浄化部
１０２ 支持材
１０３連通口
１０４浄化気
１０５ガイドシート
１０６装置係止構造
１０７ガイド下端
１０８開口保持材
１０９連通調整口
１１０調整可能下端
１１１ガイド係止部
１１２ガイド着脱係止部
１１３端部スリット
１１５下端位置保持構造
１１６ファスナーエレメント
１１７ファスナースライダー
【要約】
【課題】様々な、主に屋内の環境改善において、自由度の高い可撓性シート状の仕切りを提供する。
【解決手段】可撓性シート仕切りは、可撓性のシートからなり、支持係止部を備え、 
連通口を備え、前記連通口は、送気装置または呼気消毒装置に備えられた排気口から排気された空気または浄化気を、前記可撓性シート仕切りの一方の側から、もう一方の側に送気可能である連通口であって、前記連通口に設けられた可撓性のシートであるガイドシートによって、前記浄化気をガイドすることによって、前記連通口から前記浄化気を、前記可撓性シート仕切りの反対側に送気可能である構成とした。
【選択図】図１【図１】
0006895578.tif 000002
【図２】
0006895578.tif 000003
【図３】
0006895578.tif 000004
【図４】
0006895578.tif 000005
【図５】
0006895578.tif 000006
【図６】
0006895578.tif 000007
【図７】
0006895578.tif 000008
【図８】
0006895578.tif 000009
【図９】
0006895578.tif 000010
【図１０】
0006895578.tif 000011